(57)【要約】【課題】リモコン送信器で特定の非常用照明装置だけを正確に点灯させることができる非常用照明装置を提供する。【解決手段】常時は商用電源３で点灯するとともに、停電時は蓄電池４を電源として点灯する非常灯・誘導灯のような非常用照明装置２（Ａ，Ｂ）において、可視光ａを出力するリモコン送信器５が設けられる一方、前記非常用照明装置２（Ａ，Ｂ）は、隣接した位置に複数個が設置され、各非常用照明装置２（Ａ，Ｂ）には、送信器５からの可視光ａを受光する受光部２ａと、この受光部２ａで受光した可視光ａの信号を処理して、蓄電池４を電源として非常用照明装置２（Ａ，Ｂ）を点灯させる制御部９とが設けられている。【選択図】図２
2009032442.tif 000002
【特許請求の範囲】
【請求項１】
常時は商用電源で点灯するとともに、停電時は蓄電池を電源として点灯する非常灯・誘導灯のような非常用照明装置において、
可視光を出力するリモコン送信器が設けられる一方、前記非常用照明装置は、隣接した位置に複数個が設置され、各非常用照明装置には、送信器からの可視光を受光する受光部と、この受光部で受光した可視光の信号を処理して、蓄電池を電源として非常用照明装置を点灯させる制御部とが設けられていることを特徴とする非常用照明装置。
【請求項２】
前記非常用照明装置の受光部に、目印が形成されていることを特徴とする請求項１に記載の非常用照明装置。
【請求項３】
前記リモコン送信器の送信部にレーザーポインタが具備されていることを特徴とする請求項１または２に記載の非常用照明装置。
【発明の詳細な説明】
【技術分野】
【０００１】
本発明は、非常用照明装置に関する。
【背景技術】
【０００２】
従来、常時は商用電源で点灯するとともに、停電時は蓄電池を電源として点灯する非常灯・誘導灯のような非常用照明装置がある。
【０００３】
このような非常用照明装置においては、蓄電池による非常灯等の点灯が所定時間（非常灯では３０分間、誘導灯で２０分間または６０分間）以上継続するか否かの点検を定期的に行うことが関係法規で義務付けられている。
【０００４】
このような点検を効率的に行うために、赤外線を出力するリモコン送信器が設けられる一方、非常用照明装置は、隣接した位置に複数個が設置され、各非常用照明装置には、送信器からの赤外線を受光する受光部と、この受光部で受光した赤外線の信号を処理して、蓄電池を電源として非常用照明装置を点灯させる制御部とが設けられているものが提案されている（特許文献１参照）。
【特許文献１】特開２００４−２６５７７３号公報
【発明の開示】
【発明が解決しようとする課題】
【０００５】
しかしながら、特許文献１では、リモコン送信器から赤外線を出力するものであり、赤外線は、人間の目に見えないものであるから、隣接した位置の複数個の非常用照明装置の内、特定の非常用照明装置の受光部に向けてリモコン送信器を操作したつもりであっても、他の非常用照明装置の受光部で赤外線が受光されて、他の非常用照明装置が誤って点灯されるという不具合があった。特に、非常用照明装置の場合、点検時に誤って何回も点灯されると、不必要な放電により蓄電池の寿命が短くなるので、交換のためのコストが高くなる。
【０００６】
本発明は、前記問題を解消するためになされたもので、リモコン送信器で特定の非常用照明装置だけを正確に点灯させることができる非常用照明装置を提供することを目的とするものである。
【課題を解決するための手段】
【０００７】
前記課題を解決するために、本発明は、常時は商用電源で点灯するとともに、停電時は蓄電池を電源として点灯する非常灯・誘導灯のような非常用照明装置において、可視光を出力するリモコン送信器が設けられる一方、前記非常用照明装置は、隣接した位置に複数個が設置され、各非常用照明装置には、送信器からの可視光を受光する受光部と、この受光部で受光した可視光の信号を処理して、蓄電池を電源として非常用照明装置を点灯させる制御部とが設けられていることを特徴とする非常用照明装置を提供するものである。
【０００８】
請求項２のように、前記非常用照明装置の受光部に、目印が形成されているが好ましい。
【０００９】
請求項３のように、前記リモコン送信器の送信部にレーザーポインタが具備されていることが好ましい。
【発明の効果】
【００１０】
本発明によれば、リモコン送信器から人間の目に見える可視光を出力するものであるから、隣接した位置の複数個の非常用照明装置の内、特定の非常用照明装置の受光部に向けて、可視光を見ながらリモコン送信器を操作できるので、他の非常用照明装置の受光部で可視光が受光されるおそれがなくなって、特定の非常用照明装置だけを正確に点灯させることができる。
【００１１】
請求項２によれば、リモコン送信器の可視光を、目印を目当てにして、正確に受光部に向けることができる。
【００１２】
請求項３によれば、リモコン送信器の可視光であるレーザーポインタを移動操作して、より正確に受光部に向けることができる。
【発明を実施するための最良の形態】
【００１３】
以下、本発明を実施するための最良の形態について、図面を参照しながら詳細に説明する。
【００１４】
図１に示すように、建物の天井１等には、非常灯や誘導灯（以下、単に非常灯と言う。）２（Ａ，Ｂ）が隣接した位置に複数個が設置されている。
【００１５】
各非常灯２（Ａ，Ｂ）は、図２に示すように、常時は商用電源３で点灯するとともに、停電時は蓄電池４を電源として点灯するようになっている。
【００１６】
また、可視光ａを出力するリモコン送信器５が別に設けられている。可視光ａとは、紫外線と赤外線の間にある波長（略３６０〜８３０ｎｍ）であって、紫外線や赤外線は、人間の目に見えないが、可視光は、人間の目で見ることができる。したがって、リモコン送信器５から出力された可視光ａは、細いラインとして人間の目で見えるようになる。
【００１７】
可視光ａとしては、光線の直線性が良く、光線の角度が狭いものが良く、その光源としては、レーザーポインタや小型のＬＥＤが最適である。
【００１８】
各非常灯２（Ａ，Ｂ）には、リモコン送信器５からの可視光ａを受光する受光部２ａがそれぞれ設けられている。
【００１９】
図２に示したように、各非常灯２（Ａ，Ｂ）は、常時は、商用電源３からスイッチング素子６と点灯回路７を介して点灯されるようになっている。同時に、商用電源３から充電部８を介して蓄電池４が充電されるようになっている。
【００２０】
また、各受光部２ａで受光した可視光ａの信号を処理して、蓄電池４を電源として各非常灯２（Ａ，Ｂ）をそれぞれ点灯させる制御部９が設けられている。
【００２１】
この制御部９には、蓄電池４の電圧検出部１０や充電検出部１１が設けられるとともに、蓄電池４を電源として各非常灯２（Ａ，Ｂ）をそれぞれ点灯させて３０分後の蓄電池４の電圧を測定し、所定の電圧以下であれば、蓄電池４の交換の判断を行う判断部１２が設けられている。
【００２２】
前記のように構成すれば、リモコン送信器５から人間の目に見える可視光を出力するものであるから、隣接した位置の複数個の非常灯２（Ａ，Ｂ）の内、特定の（例えば未点検の）非常灯２（Ａ）の受光部２ａに向けて、可視光ａを見ながらリモコン送信器５を操作できるので、他の（例えば点検済みの）非常灯２（Ｂ）の受光部２ａで可視光が受光されるおそれがなくなって、特定の非常灯２（Ａ）だけを正確に点灯させることができる。したがって、非常灯２（Ａ，Ｂ）の場合、点検時に誤って何回も点灯されると、不必要な放電により蓄電池の寿命が短くなるので、交換のためのコストが高くなるが、本実施形態のように、特定の非常灯２（Ａ）だけを正確に点灯させることができるので、蓄電池の寿命が長くなる。
【００２３】
また、リモコン送信器５の送信部にレーザーポインタが具備されていれば、リモコン送信器５の可視光ａであるレーザーポインタを移動操作して、より正確に受光部２ａに向けることができる。
【００２４】
さらに、非常灯２（Ａ，Ｂ）の受光部２ａに、ラベル表示やＬＥＤ点灯等の目印を形成すれば、リモコン送信器５の可視光ａを、目印を目当てにして、正確に受光部２ａに向けることができる。
【図面の簡単な説明】
【００２５】
【図１】本発明の実施形態に係る非常灯であり、（ａ）は側面図、（ｂ）は下面図である。
【図２】非常灯の回路構成図である。
【符号の説明】
【００２６】
２（Ａ，Ｂ）非常灯・誘導灯（非常用照明装置）
２ａ  受光部
３    商用電源
４    蓄電池
５    リモコン送信器
９    制御部
ａ    可視光
【図１】
2009032442.tif 000003
【図２】
2009032442.tif 000004